(57)【要約】      （修正有）【課題】絵画などの額，時計、陶器などの器材が大きな振動の時でも、抜けにくく、器材の変更、移動、取り止めの時にも、コーキング補修やクロスの貼り替えをしなくてもよい器材取付け器具を提供する。【解決方法】注射針状の針１とピストン式で接着剤を注入する容器６を入れる円形の受け口７の端を上、下に長くして、ヒモをかけるフック９をつくり、針と受け口との接続部分に壁に当てる当て板８をはめ込んで一体化した注射針型、器材取付け器具である。ピストン式の注入容器６で接着剤を針先の穴より吸引した後、注入容器を受け口７に入れて、同じ太さの下穴用の針でつくった壁穴に、針先の先端の穴と針の径につけた切りキズの割れ目より接着剤を注入して固める。器材の移動、変更、取り止めの時には、受け口と当て板を砕いて取り除き、残った針は切断する。針あとのみが残り、コーキング補修等の必要がない。【選択図】図４
0003193644.tif 000002
【実用新案登録請求の範囲】
【請求項１】
本考案は注射針状で押しピンのような太い針であり、針の先端は注射針状の針穴をあけ、もう一つ、針の先端付近に１〜数個の切りキズの割れ目を針先に向かって、斜めにつくる。更に、別途に穴のあいていない同じ円径の太さで、長さは本考案の長さより長い針を用意して、最初に差し込んで下穴をつくる。その穴へ本考案の針を差し込む。それは石膏ボードの粉が穴につまるのを防ぎ、接着剤が穴から出る空間を確保し、針と石膏ボードとを固めて抜けにくくするためである。  注射針状のピストン式の容器でフック兼用の受け口に入れて、市販の瞬間接着剤を針先の穴より吸引して、最初につくった下穴の穴に入れて、針先の穴、及び針先付近の切りキズの割れ目より接着剤を出して固める。
また、器材の移動、変更、取り止める時には、壁より外に出ている部分のフック兼用の受け口、針との接続、固定部分、及び壁にあてる当て板部分はペンチやアンギラスで砕ける材質のプラスチック製にしているために、強く挟んで、締め付けて、砕いて取りのぞく。  針はペンチやニッパーなどで切断し、更に残った針はやさしく中へ叩き入れることにより、ほとんど目立たない針あとのみが残る、  以上の構成からなることを特徴とする、注射針型、器材取付け器具。
【考案の詳細な説明】
【技術分野】
【０００１】  石膏ボードの壁下地でクロス貼りへの器材の取付け用の器具に関するものである。
【背景技術】
【０００２】  石膏ボードの壁下地でクロス貼りへの器材の取付け器具は存在する。
【先行技術】
【０００３】  石膏ボードは石膏を固めてつくったボード板のためにネジやクギがききにくいという欠点をもつ、そのために次のような器具がある。
▲１▼石膏ボードへピン針で打つ、石膏画鋲。フック本体と１〜数本のピン針で構成して、そのピン針はまっすぐ、または交差さしたピン針で抜けにくくしている。  ピン針を横へ２〜５本にしたり、四角形、又は五角形状に配置することにより、より重い器材に使用する。
▲２▼カールを石膏ボードにねじ込んでカールの中の穴へネジを入れる器具。
▲３▼キリ付きのボードアンカーをねじこんでおき、その中へビスの太さ３〜６ｍｍのビスを入れると、ボードアンカーの先端が開いて抜けにくくなる器具。鉄製、アルミ製、プラスチック製のアンカーがある。  石膏ボード、９〜１２、５ｍｍなどに使用する。
▲４▼キリで石膏ボードに下穴を開けておき、アンカーとともにビスを下穴に押し込んでビスを締め付けるとアンカーの先端が開き、抜けにくくなる器具。
▲５▼ロンスタッピング
ビスの先端がふたまたの二重になっており、ビスをまわしてねじ込むと先端の二重の先が開く器具。
▲６▼スイングフック
フック付きの板面の裏側に粘着さす接着剤、たとえば両面テープなど貼っておき、石膏ボードやクロスの壁面に接着さす器具。
カレンダーなどの軽い器材に使用する。  ただ、取り外す時には接着剤がクロスなどの表面に残る欠点がある。
【考案の概要】
【０００４】  本考案は注射針状の押しピンの太さの針で先端に穴を開けてあり、ピストン式で液体の接着剤を吸引し、押し出す容器と、その部分の円形の筒先を丸い筒状の受け口で受け、それに続く筒状の部分に針を固定する部分とに構成される器具である。  更に、別途に、下穴をあけるために穴があけていない長い針で、同じ太さで、押しピン型の予備の針を用意する。本考案の針は先端にあけた穴と先端付近の針の円径の側面に、針先に向かって斜めに切りキズの割れ目を数個所入れておく。
予備の針を最初に入れて下穴をあけておき、本考案の針を差し込む。それは石膏ボードの粉が針穴につまるのを防ぐのと、接着剤の出る小さなスペースを確保し、接着で固めるためである。  ピストン式で接着剤を注入する容器を入れる受け口の円形の端を上に長く、大きくして、紐を掛けるフックとする。  更に、針を固定する部分で針との境界部分に壁にあてる平板のあて板をはめ込んで一体化をした器材の取付け器具である。    注射針状でピストン式を短くした容器で市販の瞬間接着剤を吸引し、注入して、針先と針先付近を接着剤で固めて、器材のぐらつきを少なくして、抜けにくくする。    器材を移動、変更、取り止める時は、壁より出ている部分をプラスチック製にしているために、ペンチやアンギラスなどで挟んで、砕いて取り除き、残った針はペンチやニッパーなどで切り取り、残った針の端はやさしく叩いて壁の中へ入れることにより、ほとんど目立たない針あとのみが残る、注射針型、器材取付け器具。
【考案が解決しようとする課題】
【０００５】  家の中の居間、食堂、寝室、廊下、子供部屋などの壁は耐火性の強さとコスト安のために石膏ボードとクロス貼りが一般的である。    その壁に絵画、写真などの額や時計、陶器などの器材を掛けようとするときは、クギやビスなどを入れ込んでひっかけを造らねばならないが石膏ボードの中の層は粗いので、クギやビスがきかず、固定できずにすぐに抜けるという欠点がある。    近年、いろいろなビスやプラスチックの加工品を入れるとアンカーや加工品の先端が開いて、抜けにくくなる器具が発売されているが、額などの器材を移動、変更、取り止めをするときは、ビスやアンカーなどの大きな穴のあとが開いてしまって、コーキング補修やクロスの貼り替えをしなければならない。  また、１〜５個の針をいろいろと配置して、差し込んで、重たい額などの器材を支える器具もあるが、大きな地震時の振動の時には抜け落ちて、床のフロアーや額や、高価な絵画、陶器、時計などを傷つける。
【課題を解決するための手段】
【０００６】  注射針はピストン型で液体を吸収したり、押し出したりする部分と、液体を受け入れる円形で筒状の受け口と穴のあいていない方の針の端を固定して、針先の穴へ針の円径の中を液体が流れる針とに分かれる。    本考案の針の太さは押しピンの太さで注射針より太くする。  また、針の先端は注射針状の穴と針先の付近の円径の側面に、針先に向かって、斜めに数個所、切りキズの割れ目をいれる。  接着剤の液体を受け入れる受け口の形は上に長く、大きくして、ヒモをひっかけるようにして、フックとする。  更に、針との接続、固定部分で針との境界部分に壁に当てる平板の当て板を取り付けて一体化をした器具とする。
もう一本、穴のあいていない押しピン型の予備の針を用意する。その針の太さは同じで、長くして、始めに石膏ボードに入れて下穴の通路穴をあける。  通路穴や、針の先端の穴、と切りキズの割れ目は石膏ボードの粉が本考案の針穴に入り、つまるのを防ぐのと接着剤がにじみ出るスペースを確保して、固める効果を上げるためである。  注射針状のピストン式の容器で市販の瞬間接着剤を針先から吸引し、その針先を下穴に入れて、注入することにより、針先、及び針先付近の穴から接着剤が出て、石膏ボードに固めることにより、器具のぐらつきを少なくして、抜けにくくする。
更に、壁より外に出ているフック兼用の受け口、針との固定部分、及び壁にあてる当て板部分はプラスチック製としているために、ペンチやアンギラスなどで挟んで、砕くことができる。  器材の移動、変更、取り止めの時には細かく砕いて取り除き、針の端のみ残す。  その針もペンチやニッパーなどで切断し、残りの針をやさしく壁に叩き入れることにより、め立たない針あとのみが残る、注射針型、器材取付け器具。
【考案の効果】
【０００７】  本考案は次のような効果がある、
１、注射針状の針の先端と先端付近の切りキズの割れ目から接着剤が出て石膏ボードと針とを固めて、壁にあてる当て板面、及びフックの部分のぐらつきが少なくなり、抜けにくくなる。そのために、地震などの大きな振動の時でも、額や時計などの器材が落ちたりして、床板や高価な絵画、陶器、時計などを傷つけることが少なくなる。
２、重たい器材を掛ける場合でも、本考案の針の数を増やすことにより可能となる。
３、額などの器材の移動、変更、取り止めの時も針穴が細くて小さく、ネジ穴よりも目立たないので、自由に付け替えが可能となる。
４、器材の移動、変更、取り止めの時でも壁から出ている部分を家庭にある大工道具で挟んで砕き、切断して取り除くことにより、細い針あとのみが残り、クロスや石膏ボードの表面には目立たないので補修などをしなくてよい。
【図面の簡単な説明】
【０００８】
【図１】本考案の正面図
【図２】本考案の側面図  左  右
【図３】本考案の上からの図
【図４】本考案の斜め図
【図５】穴を開けていない下穴用の針  ▲１▼  正面図  ▲２▼  側面図  左  右  ▲３▼  上からの図
【図６】注射針状のピストン式の接着剤の注入容器  ▲１▼  正面図  ▲２▼  側面図  左  右  ▲３▼  上からの図
【図７】石膏ボード、クロス面に本考案を入れた図
【図８】接着剤を注入した図
【図９】本考案の針の先端図  ▲１▼  正面図  ▲２▼  側面図
【図１０】フック兼用の受け口と針との接続、固定部分  ▲１▼  ペンチ、アンギラスで挟んだ図  ▲２▼  ペンチ、アンギラスで挟んで、砕いた図  ▲３▼  針をペンチ、ニッパーで切断しようとする図
【図１１】数個の針を配置した場合  ▲１▼  正面図  ▲２▼  側面図  ▲３▼  上からの図
【符号の説明】
【０００９】▲１▼  細い針
▲２▼  針の先端の穴
▲３▼  針先付近の切りキズの割れ目
▲４▼  針の接続、固定部分
▲５▼  接着剤
▲６▼  注射針状のピストン式の接着剤の注入容器
▲７▼  接着剤の受け口
▲８▼  壁に当てる当て板
▲９▼  器材を掛けるフック
▲１０▼  クロス
▲１１▼  石膏ボード
▲１２▼  ペンチ、アンギラス
▲１３▼  ペンチ、ニッパー
【考案を実施するための形態】
【００１０】  次の順で実施する
１、  壁に掛ける器材の位置を決めて、フックにつけたヒモやクサリの長さを計算して、      針の差し込む位置をきめる。
２、  針先に穴や割れ目をあけていない、長い下穴用の針を差し込んで穴をつくり、引き      抜く。
３、  市販の瞬間接着剤を皿などの容器に出す。
４、  本考案の注射針状の針先を皿などの容器に入れて接着剤を吸引する。
５、  本考案の針先を下穴の石膏ボードに入れ込む。
６、  ピストン式の容器で接着剤を出す。
７、  ピストン式の容器を受け口から抜き取る。
８、  接着剤が硬化するのをまつ。
９、  硬化したのを確認して、絵画や時計などの器材をフックにかける。
１０、器財を移動、変更、取り止めたりする時はフック兼用の受け口、針との接続、固定      、部分、壁にあてる当て板をペンチ、アンギラスなどで挟んで、砕いて取り除く
１１、壁より出ている針の部分をペンチやニッパーで切断する
１２、クロス面に残っている針をやさしく叩いて、石膏ボードとクロス面に押し込む。
目立たない針あとのみが残る。
【産業上の利用可能性】
【００１１】  近年、建物の内部の壁面は耐火性とコスト安のために、石膏ボードとクロスを貼る場合が多い。その壁にいろいろな絵画、写真、時計、陶器などの器材を掛ける場合は大きな振動時に落ちないようにアンカーやプラスチックが石膏ボードの中で開いて抜けない器具を使用するが、器材を移動、変更、取り止めの時にはビス穴やアンカーなどの穴が大きく目立つために補修が必要となる。  本考案は細い針あとだけが残るためにコーキング補修やクロスの貼り替え工事をする必要がなくなり、経済的にも助かり、また地震時などの大きな振動の時にも、器材が落ちて床のフロアー、時計、陶器などの高価な絵画や額などを傷つけたりせずに安心した快適生活を送ることができる。
【図１】
0003193644.tif 000003
【図２】
0003193644.tif 000004
【図３】
0003193644.tif 000005
【図４】
0003193644.tif 000006
【図５】
0003193644.tif 000007
【図６】
0003193644.tif 000008
【図７】
0003193644.tif 000009
【図８】
0003193644.tif 000010
【図９】
0003193644.tif 000011
【図１０】
0003193644.tif 000012
【図１１】
0003193644.tif 000013
【手続補正書】
【提出日】平成26年7月22日(2014.7.22)
【手続補正１】
【補正対象書類名】実用新案登録請求の範囲
【補正対象項目名】全文
【補正方法】変更
【補正の内容】
【実用新案登録請求の範囲】
【請求項１】
注射針状の針（１）とピストン式で接着剤を注入する容器（６）を入れる円形の受け口（７）の端を上、下に長く、大きくして、ヒモをかけるフック（９）をつくり、針と受け口との接続部分に壁に当てる平板の当て板（８）をはめ込んで一体化をした注射針型、器材取付け器具であり、注射針状のピストン式の注入容器（６）で接着剤（５）を針先の穴（２）より吸引して、フック兼用の受け口（７）に入れて、最初に同じ太さの下穴用の針でつくった穴に入れて、針先の先端の穴（２）、及び針先付近の径につけた切りキズの割れ目（３）より接着剤を出して固める器具であり、器材の移動、変更、取り止めの時には、壁より出ているプラスチック製のフック付きの受け口と当て板をアンギラス（１２）などで強く締め付けて砕き、取り除き、残った針はニッパー（１３）などで切断して、ほとんど目立たない針あとのみが残る、以上の構成からなることを特徴とする注射針型、器材取付け器具。